(57)【要約】      （修正有）【課題】インターホンシステムにおいて、居室親機の保守を外部から遠隔でおこなうことができるようにする。【解決手段】玄関端末と、居室端末によって構成されているインターホンシステムであって、通信ラインは通常稼動時はインターホンの音声及び映像伝送に用いるための玄関端末通常通信制御回路及び居室端末通常通信制御回路と、保守運用時のアップデート用ファイルを転送可能にするためにＬＡＮ等の通信方式にて通信を行うための玄関端末保守通信制御回路及び居室端末保守通信制御回路を有し、玄関端末にて、保守信号入力Ｉ／Ｆを備え、玄関端末の操作等により保守信号入力Ｉ／Ｆからの信号の入力を受けると、玄関端末通常通信制御回路及び居室端末通常通信制御回路から、玄関端末保守通信制御回路及び居室端末保守通信制御回路へ切替する制御を行う、玄関端末ＣＰＵ及び居室端末ＣＰＵを備える。【選択図】図１
2012205196.tif 000002
【特許請求の範囲】
【請求項１】
各家庭の玄関に設置された玄関端末と、前記玄関端末からの呼出により来訪者と応答するために設置された居室端末によって構成され、前記玄関端末と前記居室端末は、映像及び音声を伝達するための通信ラインによって接続されているインターホンシステムであって、前記通信ラインは通常稼動時はインターホンの音声及び映像伝送に用いるための玄関端末通常通信制御回路及び居室端末通常通信制御回路と、保守運用時のアップデート用ファイルを転送可能にするためにＬＡＮ等のインターホンの音声及び映像伝送と異なる通信方式にて通信を行うための玄関端末保守通信制御回路及び居室端末保守通信制御回路を有し、前記玄関端末にて、保守信号入力Ｉ／Ｆを備え、前記玄関端末の操作等により前記保守信号入力Ｉ／Ｆからの信号の入力を受けると、前記玄関端末通常通信制御回路及び前記居室端末通常通信制御回路から、前記玄関端末保守通信制御回路及び前記居室端末保守通信制御回路へ切替する制御を行う、玄関端末ＣＰＵ及び居室端末ＣＰＵを備えたことを特徴とするインターホンシステム。
【請求項２】
集合住宅のエントランスに設置された集合玄関機と、前記集合玄関機からの呼出により来訪者と応答するための各住戸に設置された居室端末と、前記集合玄関機及び前記居室端末からの呼出に応答するための管理人室に設置された管理室端末と、前記集合玄関機及び前記居室端末及び前記管理室端末を接続する集合住宅内に設置された制御機によって構成され、前記集合玄関機と前記制御機間は通信ライン、前記管理室端末と前記制御機は通信ライン、前記居室端末と前記制御機は通信ラインによって接続されているインターホンシステムであって、前記居室端末と前記制御機間の前記通信ラインは、通常稼動時はインターホンの音声及び映像伝送に用いるための制御機通常通信制御回路及び居室端末通常通信制御回路と、保守運用時のアップデート用ファイルを転送可能にするためにＬＡＮ等のインターホンの音声及び映像伝送と異なる通信方式にて通信を行うための制御機保守通信制御回路及び居室端末保守通信制御回路とを有し、前記制御機にて、保守信号入力Ｉ／Ｆを備え、前記制御機の操作等により前記保守信号入力Ｉ／Ｆからの信号の入力を受けると、前記制御機通常通信制御回路及び居室端末通常通信制御回路から、前記制御機保守通信制御回路及び前記居室端末保守通信制御回路へ切替する制御を行う、制御機ＣＰＵび居室端末ＣＰＵを備えたことを特徴とするインターホンシステム。
【請求項３】
前記集合玄関機及び前記管理室端末が通信方式の切替通知を受けると、前記集合玄関機及び前記管理室端末に保守メッセージを表示することを特徴とした２項記載の集合住宅インターホンシステム。
【発明の詳細な説明】
【技術分野】
【０００１】
本発明はインターホンシステムに係わり、特に室外にある玄関端末や制御機から居室端末の保守をする際に、機器間の通信方式を変更するインターホンシステムに関する。
【背景技術】
【０００２】
従来のインターホンシステムは、居室端末の保守を行なう際には、直接居室端末と保守端末を通信ケーブルで接続していた。この場合、居室端末は室内にあるため、保守端末を室内に持ち込んで保守をおこなうものであった。また、外部の端末から居室端末の保守を行う場合には、別に保守用の通信ラインを設けて保守を行っていた。
【先行技術文献】
【特許文献】
【０００３】
【特許文献１】特開平１１−０８９８０２号公報
【発明の開示】
【発明が解決しようとする課題】
【０００４】
しかしながら、玄関端末や制御機から居室端末の保守を行なうために通信ラインを増やすことは、大きな手間となった。また、普段はその通信ラインを使用しないため、保守時にのみ利用すると断線していた場合など、トラブルが発生することもあった。
本発明は、この難点を解決するためになされたもので、通信ラインの通信方式を切り替えて保守を行うことで、通常時に使用している通信ラインをそのまま利用できることを目的とする。
【課題を解決するための手段】
【０００５】
上述の目的を達成するため、本発明の第１の態様であるインターホンシステムは、
各家庭の玄関に設置された玄関端末と、玄関端末からの呼出により来訪者と応答するために設置された居室端末によって構成され、玄関端末と居室端末は、映像及び音声を伝達するための通信ラインによって接続されているインターホンシステムであって、通信ラインは通常稼動時はインターホンの音声及び映像伝送に用いるための玄関端末通常通信制御回路及び居室端末通常通信制御回路と、保守運用時のアップデート用ファイルを転送可能にするためにＬＡＮ等のインターホンの音声及び映像伝送と異なる通信方式にて通信を行うための玄関端末保守通信制御回路及び居室端末保守通信制御回路を有し、玄関端末にて、保守信号入力Ｉ/Ｆを備え、玄関端末の操作等により保守信号入力Ｉ/Ｆからの信号の入力を受けると、玄関端末通常通信制御回路及び居室端末通常通信制御回路から、玄関端末保守通信制御回路及び居室端末保守通信制御回路へ切替する制御を行う、玄関端末ＣＰＵ及び居室端末ＣＰＵを備えたことを特徴とする。
【０００６】
本発明の第２の態様であるインターホンシステムは、集合住宅のエントランスに設置された集合玄関機と、集合玄関機からの呼出により来訪者と応答するための各住戸に設置された居室端末と、集合玄関機及び居室端末からの呼出に応答するための管理人室に設置された管理室端末と、集合玄関機及び居室端末及び管理室端末を接続する集合住宅内に設置された制御機によって構成され、集合玄関機と制御機間は通信ライン、管理室端末と制御機は通信ライン、居室端末と制御機は通信ラインによって接続されているインターホンシステムであって、居室端末と制御機間の通信ラインは、通常稼動時はインターホンの音声及び映像伝送に用いるための制御機通常通信制御回路及び居室端末通常通信制御回路と、保守運用時のアップデート用ファイルを転送可能にするためにＬＡＮ等のインターホンの音声及び映像伝送と異なる通信方式にて通信を行うための制御機保守通信制御回路及び居室端末保守通信制御回路とを有し、制御機にて、保守信号入力Ｉ/Ｆを備え、制御機の操作等により保守信号入力Ｉ/Ｆからの信号の入力を受けると、制御機通常通信制御回路及び居室端末通常通信制御回路から、制御機保守通信制御回路及び居室端末保守通信制御回路へ切替する制御を行う、制御機ＣＰＵ及び居室端末ＣＰＵを備えたことを特徴とする。
【０００７】
本発明の第３の態様であるインターホンシステムは、請求項２において、集合玄関機及び管理室端末が通信方式の切替通知を受けると、集合玄関機及び管理室端末に保守メッセージを表示することを特徴とする。
【発明の効果】
【０００８】
請求項１の発明によれば、戸建インターホンシステムにおいて、玄関端末から居室端末を保守するときに、通信方式を切替することが可能となり、居住者がいない場合であっても保守をおこなうことができる。
請求項２の発明によれば、集合インターホンシステムにおいて、制御機から各居室端末を保守するときに、通信方式を切替することが可能となり、居住者がいない場合であっても保守をおこなうことができる。
請求項３の発明によれば、集合インターホンシステムにおいて居室端末の保守を行うときに、集合玄関機や管理室端末に保守メッセージを表示させることにより、来訪者又は管理人が状況を把握することができる。
【図面の簡単な説明】
【０００９】
【図１】本発明の実施例による戸建インターホン装置のブロック図である。
【図２】本発明の実施例による集合インターホン装置のブロック図である。
【発明を実施するための最良の形態】
【００１０】
以下、本発明によるインターホンシステムを適用した好ましい形態の実施例について、図面を参照して説明する。
図１は、本発明の戸建インターホンシステムを示すブロック図であり、居室の玄関に設置され居住者を呼び出して通話する機能を備えた玄関端末１１と、居室に設置され、玄関端末１１からの呼び出しに応答通話する機能を備えた居室端末１２と、端末間を接続する通信ラインＬ１１、及び、玄関端末１１に接続され居室端末１２の保守をおこなうための保守端末１３から構成されている。
【００１１】
玄関端末１１は、来訪者が居住者を呼び出すための呼出ボタン１１１、来訪者が居住者と通話するためのマイク／スピーカ１１２、通話回路１１３、玄関端末通常通信制御機回路１１５、保守時に使用する保守信号入力Ｉ/Ｆ１１４、保守端末用通信Ｉ／Ｆ１１８、玄関端末保守通信制御回路１１６、居室端末との通信を行うための玄関端末通信Ｉ／Ｆ１１７、各回路を制御するための玄関端末ＣＰＵ１１０から構成されている。
【００１２】
居室端末１２は、来訪者からの呼び出しに応答するための操作部１２１、玄関端末からの情報を表示するための表示部１２４、玄関端末マイクスピーカと通話するための居室端末マイクスピーカ１２２、通話回路１２３、居室端末通常通信制御機回路１２５、保守時に使用する居室端末保守通信制御回路１２６、玄関端末との通信を行うための居室端末通信Ｉ／Ｆ１２７、各回路を制御するための居室端末ＣＰＵ１２０から構成されている。
【００１３】
以下、本発明のインターホンシステムを適用した最良の実施の形態例について、図面を参照して説明する。
まず、来訪者は、玄関端末１１の呼出ボタン１１１を操作する。玄関端末ＣＰＵ１１０は、これを検出し呼出信号を生成して居室端末１２側へ送信する。このとき、呼出信号は通常時用いられる玄関端末通常通信制御回路１１５が選択され、玄関端末通信Ｉ／Ｆ１１７を介して居室端末１２の居室端末通信Ｉ／Ｆ１２７にて受信される。このとき、居室端末１２も同様に呼出信号であるため、居室端末通常通信制御回路１２５が用いられ居室端末ＣＰＵ１２０で受信される。これにより、居室端末ＣＰＵ１２０の制御により通話回路１２３が制御され呼出音をスピーカ１２２から放音させる。これを確認した居住者が通話ボタンやハンドセット等を構成する操作部１２１を操作して応答すると、この応答操作を検出した居室端末ＣＰＵ１２０の制御により玄関端末１１と居室端末１２との間で通話路が形成され通話が可能となる。なお、通話時においても呼出信号と同様に玄関端末１１では玄関端末通常通信制御回路１１及び居室端末１２の居室端末通常通信制御回路１２５を介して音声信号の送受信がおこなわれることとなる。
【００１４】
このような状態において、保守者が保守端末１３を用いて遠隔で居室端末１２を点検する場合について説明する。
まず、保守者は、保守をおこなうために玄関端末１の呼出ボタン１１を長押しするなど特殊操作をおこなうと、保守信号入力Ｉ／Ｆ１１４から保守開始信号を受信する。玄関端末ＣＰＵ１１０はこれを検出して居室端末１２に保守モードへ移行するように保守モード切替信号を送信する。当該保守モード切替信号は、呼出信号と同様の経路を辿り、居室端末ＣＰＵ１２０で受信され、通信プロトコルの異なる保守端末１３からの信号の送受信を可能とするために居室端末通常通信制御回路１２５側から居室端末保守通信制御回路１２６側に切り替える制御がおこなわれる。これとともに、玄関端末１１の玄関端末ＣＰＵ１１０でも玄関端末通常通信制御回路１１５から玄関端末保守通信制御回路１１６側に切り替えられ、保守端末１３からの保守信号を送受信できるように制御される。そして、保守端末１３は、玄関端末１１の保守端末用通信Ｉ／Ｆ１１８に接続され、保守開始操作をおこなうと、保守信号が保守端末用通信Ｉ／Ｆ１１８を介して玄関端末ＣＰＵ１１０にて受信される。当該玄関端末ＣＰＵは、玄関端末保守通信制御回路１１６及び玄関端末通信Ｉ／Ｆ１１７、通信ラインＬ１１を介して居室端末１２に送信され、居室端末保守通信制御回路１２６を介して居室端末ＣＰＵ１２０にて受信する。これにより、各端末に通信異常が発生していないか等の保守点検をおこなうことができ、居住者がいない場合であっても動作確認及びプログラム変更をおこなうことができる。
【００１５】
なお、保守開始にあたり、玄関端末１１の呼出ボタン１１１の操作をトリガとしているがこれに限らず、隠しスイッチの操作等であってもよい。
図２は本発明の集合住宅インターホンシステムの構成図を示すブロック図であり、集合住宅のエントランス或いは各階のロビー等に設置された集合玄関機２１と、集合玄関機からの呼出により来訪者と応答するための各住戸に設置された居室端末２３と、集合住宅の管理者が使用する管理室端末２２と、集合玄関機及び居室端末及び管理室端末を接続する集合住宅内に設置された制御機２４と保守端末２５によって構成される。
【００１６】
集合玄関機２１は、来訪者が居住者を呼び出すための呼出ボタン２１５、情報を表示するための表示部２１１、来訪者が居住者と通話するためのマイクスピーカ２１３、通話回路２１６、制御機との通信を行うための集合玄関機通信Ｉ／Ｆ１２４４、各回路を制御するための集合玄関機ＣＰＵ２１０から構成されている。
管理室端末２２は、来訪者からの呼び出しに応答するための操作部２２５、情報を表示するための表示部２２１、管理者が居住者と通話するためのマイクスピーカ２２３、通話回路２２２、制御機との通信を行うための管理室端末通信Ｉ／Ｆ２２４、各回路を制御するため管理室端末ＣＰＵ２２０から構成されている。
居室端末２３は、来訪者からの呼び出しに応答するための操作部２３１、玄関端末からの情報を表示するための表示部２３４、居住者が通話するための居室端末マイクスピーカ２３２、通話回路２３３、居室端末通信制御機回路２３５、保守時に使用する居室端末保守通信制御回路２３６、制御機との通信を行うための居室端末通信Ｉ／Ｆ２３７、各回路を制御するための居室端末ＣＰＵ２３０から構成されている。
【００１７】
制御機２４は、通常時の通信に使用する制御機通常通信制御機回路２４２、保守時に使用する保守信号入力Ｉ／Ｆ２４４、保守端末用通信Ｉ／Ｆ２４５、制御機保守通信制御回路２４１、各機器との通信を行うための制御機通信Ｉ／Ｆ２４３、各回路を制御するための制御機ＣＰＵ２４０から構成されている。
以下、本発明のインターホンシステムを適用した最良の他の実施の形態例について、図面を参照して説明する。
【００１８】
まず、来訪者は、集合玄関機２１の呼出ボタン２１５を操作する。集合玄関機ＣＰＵ２１０は、これを検出し呼出信号を生成して集合玄関機通信Ｉ／Ｆ２１４を介して制御機２４に送信する。当該制御機では、制御機通信Ｉ／Ｆ２４３、通常時用いられる制御機通常通信制御回路２４２を介して制御機ＣＰＵ２４０で受信される。そして、制御機通常通信制御回路２４２、制御機通信Ｉ／Ｆ２４３を介して居室端末２３に送信され、居室端末通信Ｉ／Ｆ２３７、居室端末通常通信制御回路２３５を介して居室端末ＣＰＵ２３０にて受信される。そして当該居室端末ＣＰＵの制御により通話回路２３３が制御され呼出音をスピーカ２３２から放音させる。これを確認した居住者が通話ボタンやハンドセット等を構成する操作部２３１を操作して応答すると、制御機２４の制御により集合玄関機２１と居室端末２３との間で通話路が形成され通話が可能となる（詳述せず）。なお、通話時においても呼出信号と同様に制御機２４では制御機通常通信制御回路２４２及び居室端末２３の居室端末通常通信制御回路２３５を介して音声信号の送受信がおこなわれることとなる。
【００１９】
このような状態において、保守者が保守端末２５を用いて遠隔で居室端末２３を点検する場合について説明する。
まず、保守者は、保守をおこなうために制御機２４で所定の操作、例えば保守を開始するためのディップスイッチ等を操作すると、保守信号入力Ｉ／Ｆ２４４から保守開始信号を受信する。制御機ＣＰＵ２４０はこれを検出して居室端末１２に保守モードへ移行するように保守モード切替信号を送信する。当該保守モード切替信号は、呼出信号と同様の経路を辿り、居室端末ＣＰＵ２３０で受信され、通信プロトコルの異なる保守端末２５からの信号の送受信を可能とするために居室端末通常通信制御回路２３５側から居室端末保守通信制御回路２３６側に切り替える制御がおこなわれる。これとともに、制御機２４の制御機ＣＰＵ２４０でも制御機通常通信制御回路２４２から制御機保守通信制御回路２４１側に切り替えられ、保守端末２５からの保守信号を送受信できるように制御される。そして、保守端末２５は、制御機２４の保守端末用通信Ｉ／Ｆ２４５に接続され、保守開始操作をおこなうと、保守信号が保守端末用通信Ｉ／Ｆ２４５を介して制御機ＣＰＵ２４０にて受信される。当該玄関端末ＣＰＵは、制御機保守通信制御回路２４１及び制御機通信Ｉ／Ｆ２４３、通信ラインＬ２３を介して居室端末２３に送信され、居室端末保守通信制御回路２３６を介して居室端末ＣＰＵ２３０にて受信する。これにより、各端末に通信異常が発生していないか等の保守点検をおこなうことができ、居住者がいない場合であっても動作確認及び居室端末のプログラム変更をおこなうことができる。
【００２０】
また、制御機ＣＰＵ２４０は、上記保守信号入力Ｉ／Ｆ２４４から保守開始信号を受信すると、保守モードに移行することを来訪者及び管理人に知らせるために、当該信号を集合玄関機２１及び管理室端末２２に通知する。具体的には、保守開始信号は、制御機通常通信制御回路２４２及び制御機通信Ｉ／Ｆ２４３を介して集合玄関機２１及び管理室端末２２に送信される。集合玄関機２１では、Ｌ２１及び集合玄関機通信Ｉ／Ｆ２１４を介して集合玄関機ＣＰＵ２１０で受信し、居室端末２３が保守モードに切り替わったことを表示部２１１に表示させる。
同様に管理室端末２２においてもＬ２２及び管理室端末通信Ｉ／Ｆ２２４を介して管理室端末ＣＰＵ２２０で受信し、居室端末２３が保守モードに切り替わったことを表示部２２１に表示させる。
これにより、来訪者又は管理人が保守モードになっていることを把握することができる。
【符号の説明】
【００２１】
11・・・・玄関端末
110・・・玄関端末CPU
111・・・呼出ボタン
112・・・スピーカ／マイク
113・・・通話回路
114・・・保守信号入力I／F
115・・・玄関端末通常通信制御回路
116・・・玄関端末保守通信制御回路
117・・・玄関端末通信I／F
118・・・保守端末用通信I／F
12・・・・居室端末
120・・・居室端末CPU
121・・・操作部
122・・・スピーカ／マイク
123・・・通話回路
124・・・表示部
125・・・居室端末通常通信制御回路
126・・・居室端末保守通信制御回路
127・・・居室端末通信I／F
13・・・・保守端末
21・・・・集合玄関機
210・・・集合玄関機CPU
211・・・表示部
212・・・通話回路
213・・・スピーカ／マイク
214・・・集合玄関機通信I／F
215・・・呼出ボタン
22・・・・管理室端末
220・・・管理室端末CPU
221・・・表示部
222・・・通話回路
223・・・スピーカ／マイク
224・・・管理室端末通信I／F
225・・・操作ボタン
23・・・・居室端末
230・・・居室端末CPU
231・・・操作部
232・・・スピーカ／マイク
233・・・通話回路
234・・・表示部
235・・・居室端末通常通信制御回路
236・・・居室端末保守通信制御回路
237・・・居室端末通信I／F
24・・・・制御機
240・・・制御機CPU
241・・・制御機保守通信制御回路
242・・・制御機通常通信制御回路
243・・・制御機通信I／F
244・・・保守信号入力I／F
245・・・保守端末用通信I／F
25・・・・保守端末
【図１】
2012205196.tif 000003
【図２】
2012205196.tif 000004